(57)【要約】      （修正有）【課題】組み合わせ式塵取り構造を提供する。【解決手段】底部には底板１１を有すると共に底板の上方には弾性可撓性を有する上端カバー１２が設置され、上端カバーと底板との間には開口部を有する収納溝１３が形成され、上端カバーの上方の開口部に近接する位置には凸部１２１が凸設され、凸部には位置決め溝が凹設され、上端カバーの底板に近接する両端側には貫通孔が各々貫設される塵取り本体１０と、一端には２つの支持アーム２１が設置され、これら支持アーム２１は貫通孔に枢設されて回転し、且つこれら支持アームの中間には位置決め溝に対する位置決めバンプが凸設される把持部２０とを備える。把持部２０の位置決めバンプが凸部を僅かに圧迫させて上端カバーを変形させ、位置決めバンプが位置決め溝の位置まで移動した後、上端カバーが把持部に弾性により回復して係合されて固定され、塵取り本体１０が高速に使用状態に変化する。収納時には、把持部の位置決めバンプが位置決め溝から脱離されるのみで、把持部の支持アームが自由に枢動可能になり、塵取り本体が垂直に収納される。【選択図】図１
0003201267.tif 000002
【実用新案登録請求の範囲】
【請求項１】
底部には底板を有し、前記底板の上方には弾性可撓性を有する上端カバーが設置され、前記上端カバーと前記底板との間には開口部を有する納置溝が形成され、前記上端カバーの上方の開口部に近接する位置には凸部が凸設され、前記凸部の中間には位置決め溝が凹設され、前記上端カバーの二側には貫通孔が各々貫設される塵取り本体と、
一端には２つの支持アームが設置され、前記２つの支持アームは前記貫通孔に枢設されると共に回転し、前記２つの支持アームの中間に前記位置決め溝に対する位置決めバンプが凸設される把持部とを少なくとも備えることを特徴とする、
組み合わせ式塵取り構造。
【請求項２】
前記塵取り本体の底板から後に向けてペダルが突出されることを特徴とする、請求項１に記載の組み合わせ式塵取り構造。
【請求項３】
前記把持部は位置決めバンプの前端にストッパーが凸設されることを特徴とする、請求項１に記載の組み合わせ式塵取り構造。
【請求項４】
前記把持部にはフックが構設されることを特徴とする、請求項１に記載の組み合わせ式塵取り構造。
【請求項５】
前記把持部の上端にはハンドルが付設され、前記ハンドルの末端には係止溝が設けられることを特徴とする、請求項１に記載の組み合わせ式塵取り構造。
【考案の詳細な説明】
【技術分野】
【０００１】
本考案は、高速に固定及び収納可能な組み合わせ式塵取り構造に関する。
【背景技術】
【０００２】
従来の塵取りは、主に塵取り本体及び把持部で構成され、前記塵取り本体はごみを収納させる開放溝を有し、前記把持部は前記塵取り本体の後端に固定され、使用者が把持して前記塵取り本体を移動させる。但し、収納時には、塵取り本体の開放溝の体積が大きいため、地面に置く際に空間を占領した。また、開放溝内にごみが残っている場合、風で飛ばされやすく、或いは不注意で塵取りを倒してしまうとごみが散らかり、周辺環境に影響を与えた。
収納の問題を改善するため、他の収納式の塵取りは、主に塵取り本体及び把持部で構成され、前記把持部は２つの支持アームが前記塵取り本体に枢設され、前記塵取り本体が把持部上で枢動し、使用時に平に置かれ、移動や収納時には前記塵取り本体が垂直状態を形成させ、保管に必要な空間を減少させる。
【考案の概要】
【考案が解決しようとする課題】
【０００３】
前記塵取り本体は保管空間を減少させるが、把持部は枢接されるため、把持部が起き上がると塵取り本体の開口部も起き上がって垂直状態になり、ごみを収集させる際に把持部を支持しなければ把持部が傾いて塵取り本体にごみが収納できなくなる。このほか、塵取り本体内部のごみを片付ける場合、把持部を持ち上げると塵取り本体の開口部が上を向くため、塵取り本体を下向きに傾斜させてごみを捨てるのが難しくなり、使用上不便であった。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。即ち、本考案の目的は、組み合わせ式塵取り構造を提供することにある。
【課題を解決するための手段】
【０００６】
上述した課題を解決し、目的を達成するための本考案に係る組み合わせ式塵取り構造は、底部には底板を有し、前記底板の上方には弾性可撓性を有する上端カバーが設置され、前記上端カバーと前記底板との間には開口部を有する納置溝が形成され、前記上端カバーの上方の開口部に近接する位置には凸部が凸設され、前記凸部の中間には位置決め溝が凹設され、前記上端カバーの二側には貫通孔が各々貫設される塵取り本体と、一端には２つの支持アームが設置され、これら前記支持アームは前記貫通孔に枢設されると共に回転し、これら前記支持アームの中間に前記位置決め溝に対する位置決めバンプが凸設される把持部とを少なくとも備えることを特徴とする。
【０００７】
また、本考案に係る組み合わせ式塵取り構造は、塵取り本体が使用時に、把持部の位置決めバンプの弾性により上端カバーを圧迫させて変形させた後、位置決めバンプが位置決め溝内に係合され、塵取り本体及び把持部が固装を形成させる。使用時には塵取り本体が震動しないため使用に影響を及ぼさず、収納時には位置決めバンプを位置決め溝から脱離させるのみで、塵取り本体が把持部上で枢動し、簡単に収納できる。
【図面の簡単な説明】
【０００８】
【図１】本考案の一実施形態に係る組み合わせ式塵取り構造を示す外観斜視図である。
【図２】本考案の一実施形態に係る組み合わせ式塵取り構造を示す展開図である。
【図３】本考案の一実施形態に係る組み合わせ式塵取り構造の装設作動を示す断面模式図である。
【図４】本考案の一実施形態に係る組み合わせ式塵取り構造の装設が完成した断面模式図である。
【図５】本考案の一実施形態に係る組み合わせ式塵取り構造の収納状態を示す断面模式図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１０】
図１、図２及び図３は本考案に係る組み合わせ式塵取り構造の好ましい実施形態による外観斜視図、展開図及び装設状態の断面模式図である。
底部に底板１１を有し、前記底板１１の上方には弾性可撓性を有する上端カバー１２が設置され、前記上端カバー１２と前記底板１１との間には開口部を有する収納溝１３が形成され、前記上端カバー１２の上方の開口部に近接する位置には凸部１２１が凸設され、前記凸部１２１の中央には位置決め溝１２２が凹設され、前記上端カバー１２の二側には貫通孔１２３が各々貫設され、前記塵取り本体１０の底板１１から後に向けてペダル１４が突出される塵取り本体１０と、一端には２つの支持アーム２１が設置され、これらの支持アーム２１は前記貫通孔１２２に枢設されて回転し、これらの支持アーム２１の中間には前記位置決め溝１２１に対する位置決めバンプ２２が凸設され、位置決めバンプ２２の前端にはストッパー２３が凸設され、中央前端にはフック２４が構設され、上端にはハンドル２５が付設され、前記ハンドル２５の末端には係止溝２５１が設けられる把持部２０とを備える。
【００１１】
ほうき３０は、収納時に前記把持部２０の前端フック２４或いはハンドル２５の係止溝２５１に構設される。
【００１２】
本考案の構造的特徴、運用方法技術及び達成する効果についての理解を促すため、本考案の使用方式について説明を加え、本考案をより深く具体的に理解するために以下に詳述する。
【００１３】
図３は本考案の組み合わせ状態を示す断面模式図である。塵取りを使用する場合、前記塵取り本体１０の底板１１を地面に置き、把持部２０を回転させて前記支持アーム２１を軸心として塵取り本体１０を巻回させて回転させる。この際、前記把持部２０の底部の位置決めバンプ２２が前記上端カバー１２の外側の凸部１２１よりやや低くなり、前記上端カバー１２が弾性を有するため、前記位置決めバンプ２２が力を掛けて前記上端カバー１２を圧迫させて変形させ、前記位置決めバンプ２２が前記上端カバー１２の上方まで滑動する。前記位置決めバンプ２２が前記位置決め溝１２２の位置まで移動すると、前記位置決め溝１２２の位置が低いため、前記位置決めバンプ２２が前記位置決め溝１２２内に陥入する。
図４は、本考案の装設が完成した断面模式図である。前記上端カバー１２は弾性回復力により回復し、前記位置決めバンプ２２が前記位置決め溝１２２内に係合されて固定され、前記塵取り本体１０と前記把持部２０との間に垂直を形成させ、前記収納溝１３がごみの収集動作を行う。ちなみに、前記位置決めバンプ２２の前端のストッパー２３は定位が完了した後に前記凸部１２１の上部に係合され、使用時に横方向の力が掛けられて前記位置決めバンプ２２が位置決め溝１２２から脱離するのを回避させる。使用時には、塵取り本体１０は前記把持部２０の位置の変化で枢動することはなく、収納溝１３内のごみを移動或いは傾倒させる場合、構造が安定していてぶれない。
【００１４】
図５は本考案の収納状態を示す断面模式図である。収納時には、足を前記ペダル１４にかけて定位させ、力を掛けて前記把持部２０を前に向けて押し、前記位置決めバンプ２２に前記上端カバー１２を圧迫させて弾性で変形させ、前記凸部１２１を前記位置決めバンプ２２の高さよりやや低くさせる。すると、前記位置決めバンプ２２が前記上端カバーから脱離し、前記塵取り本体１０を回転する態様にすることで収納空間を減少させ、保管しやすくする。
【００１５】
従って、本明細書に開示された実施例は、本考案を限定するものではなく、説明するためのものであり、このような実施例によって本考案の思想と範囲が限定されるものではない。本考案の範囲は請求の範囲により解釈すべきであり、それと同等の範囲内にある全ての技術は、本考案の権利範囲に含まれるものと解釈すべきである。
【符号の説明】
【００１６】
１０    塵取り本体
１１    底板
１２    上端カバー
１２１  凸部
１２２  位置決め溝
１２３  貫通孔
１３    収納溝
１４    ペダル
２０    把持部
２１    支持アーム
２２    位置決めバンプ
２３    ストッパー
２４    フック
２５    ハンドル
２５１  係止溝
３０    ほうき
【図１】
0003201267.tif 000003
【図２】
0003201267.tif 000004
【図３】
0003201267.tif 000005
【図４】
0003201267.tif 000006
【図５】
0003201267.tif 000007
【手続補正書】
【提出日】平成27年9月28日(2015.9.28)
【手続補正１】
【補正対象書類名】実用新案登録請求の範囲
【補正対象項目名】全文
【補正方法】変更
【補正の内容】
【実用新案登録請求の範囲】
【請求項１】
底部には底板を有し、前記底板の上方には弾性可撓性を有する上端カバーが設置され、前記上端カバーと前記底板との間には開口部を有する収納溝が形成され、前記上端カバーの上方の開口部に近接する位置には凸部が凸設され、前記凸部の中間には位置決め溝が凹設され、前記上端カバーの前記底板に近接する両側端には貫通孔が各々貫設される塵取り本体と、
一端には２つの支持アームが設置され、前記２つの支持アームは前記貫通孔に枢設されると共に回転し、前記２つの支持アームの中間に前記位置決め溝に対する位置決めバンプが凸設される把持部とを少なくとも備えることを特徴とする、
組み合わせ式塵取り構造。
【請求項２】
前記塵取り本体の底板から後に向けてペダルが突出されることを特徴とする、請求項１に記載の組み合わせ式塵取り構造。
【請求項３】
前記把持部は位置決めバンプの前端にストッパーが凸設されることを特徴とする、請求項１に記載の組み合わせ式塵取り構造。
【請求項４】
前記把持部にはフックが構設されることを特徴とする、請求項１に記載の組み合わせ式塵取り構造。
【請求項５】
前記把持部の上端にはハンドルが付設され、前記ハンドルの末端には係止溝が設けられることを特徴とする、請求項１に記載の組み合わせ式塵取り構造。
【手続補正２】
【補正対象書類名】明細書
【補正対象項目名】００１０
【補正方法】変更
【補正の内容】
【００１０】
図１、図２及び図３は本考案に係る組み合わせ式塵取り構造の好ましい実施形態による外観斜視図、展開図及び装設状態の断面模式図である。
底部に底板１１を有し、前記底板１１の上方には弾性可撓性を有する上端カバー１２が設置され、前記上端カバー１２と前記底板１１との間には開口部を有する収納溝１３が形成され、前記上端カバー１２の上方の開口部に近接する位置には凸部１２１が凸設され、前記凸部１２１の中央には位置決め溝１２２が凹設され、前記上端カバー１２の前記底板１１に近接する両側端には貫通孔１２３が各々貫設され、前記塵取り本体１０の底板１１から後に向けてペダル１４が突出される塵取り本体１０と、一端には２つの支持アーム２１が設置され、これらの支持アーム２１は前記貫通孔１２２に枢設されて回転し、これらの支持アーム２１の中間には前記位置決め溝１２１に対する位置決めバンプ２２が凸設され、位置決めバンプ２２の前端にはストッパー２３が凸設され、中央前端にはフック２４が構設され、上端にはハンドル２５が付設され、前記ハンドル２５の末端には係止溝２５１が設けられる把持部２０とを備える。